(57)【要約】【課題】高速回転を押さえた安価なスピンドルモータを使い、ショックプルーフメモリ容量が少なくてもよい高速再生用のディスク再生装置を提供する。【解決手段】時刻Ｔ１０で高速再生を開始しショックプルーフメモリに７Ｖの高速で蓄積を開始するが、メモリからは第２の高速再生速度３Ｖで出力する。時刻Ｔ１１でしきい値Ａ２に達すると、メモリからの出力は第１の高速再生速度の６Ｖとする。Ｔ１２でメモリがＦＵＬＬ状態となりディスクからのデータ読みとりを中断し、Ｔ１３でしきい値Ａ２になるとメモリからの出力を３Ｖに低下させ、Ｔ１４でディスクからのデータ読みとりを開始する。Ｔ１５でメモリからの出力を６Ｖとし、以後同様に繰り返す。Ｔ１６でエラーが発生しメモリへの入力が中断すると、メモリからの出力を３Ｖに低下させ、Ｔ１７でデータ信号が回復すると、しきい値Ａ２になるＴ１８までメモリからの出力は３Ｖに維持する。【選択図】  図２
2004280895.tif 000002
【特許請求の範囲】
【請求項１】
データが記録されたディスクを標準速度を越える高速で回転駆動可能なスピンドルモータと、
光ビームの焦点を前記ディスクの記録面に合わせて信号を読みとる光ピックアップと、
前記光ピックアップのフォーカス制御及びトラッキング制御を行うサーボ制御手段と、
前記ディスクから再生した信号をデコードしデータ信号および時間情報であるアドレス信号を復調すると共に再生信号のエラー状態を検出する信号処理手段と、
前記信号処理手段で復調されたデータ信号を読み込むと共に異なる速度で出力するメモリ手段と、
前記メモリ手段から出力されるデータ信号の速度を切り換える出力ピッチ切り換え手段と、
ディスクの内周から外周にかけて前記ディスクから再生された同期信号と基準クロックとを比較してディスクを回転制御しながら再生するとともに前記メモリ手段と前記出力ピッチ切り換え手段とを制御する再生駆動制御手段とを備え、
前記再生駆動制御手段は、高速再生時にディスクを標準速度を越える高速で回転させ、高速なデータ信号を前記メモリ手段に書き込むと共に前記メモリ手段から第１の高速速度でデータ信号を読み出し、高速再生中に前記信号処理手段がエラー状態を検出するとメモリ手段に入力するデータ信号を中断させ、前記出力ピッチ切換手段を制御して前記メモリ手段から出力するデータ信号速度を前記第１の高速速度よりも遅い第２の高速速度に設定すると共に、前記サーボ制御手段を制御してエラー状態検出直前の位置に前記ピックアップをアクセスさせ、アクセス終了後前記メモリ手段へのデータ信号の蓄積を開始させるよう制御し、前記メモリ手段のデータ蓄積量が所定の一定量に達すると前記出力ピッチ切り換え手段によりメモリ手段から出力するデータ信号速度を再び前記第１の高速速度に切り換えるように構成したことを特徴とするディスク再生装置。
【請求項２】
前記再生駆動制御手段は、高速再生開始時に前記出力ピッチ切換手段を制御して前記メモリ手段から出力するデータ信号速度を前記第１の高速速度よりも遅い第２の高速速度に設定し、前記メモリ手段のデータ蓄積量が所定の一定量に達すると前記出力ピッチ切り換え手段を制御してメモリ手段から出力するデータ信号速度を前記第１の高速速度に切り換えるように構成したことを特徴とする請求項１記載のディスク再生装置。
【請求項３】
前記再生駆動制御手段は、高速再生中に前記メモリ手段に蓄積されたデータがメモリ手段の上限値に達すると、メモリ手段に入力するデータ信号を中断させ、その後、前記メモリ手段のデータ蓄積量が所定の一定量まで減少すると、前記出力ピッチ切換手段を制御して前記メモリ手段から出力するデータ信号速度を前記第１の高速速度よりも遅い第２の高速速度に設定すると共に、前記再生駆動制御手段は前記サーボ制御手段を制御してデータ信号読込中断直前の位置に前記ピックアップをアクセスさせ、アクセス終了後前記メモリ手段へのデータ信号の蓄積を開始させるよう制御し、前記メモリ手段のデータ蓄積量が所定の一定量に達すると前記出力ピッチ切り換え手段を制御してメモリ手段から出力するデータ信号速度を再び前記第１の高速速度に切り換えるように構成したことを特徴とする請求項１記載のディスク再生装置。
【発明の詳細な説明】
【０００１】
【発明の属する技術分野】
本発明は、データが書き込まれたコンパクトディスク（以下ＣＤ）、ミニディスク（以下ＭＤ）などの光ディスクや光磁気ディスクを高速で再生しながら、その再生出力を高速で記録する場合における再生側のディスク再生装置であって、特に高速再生時にショックプルーフ機能を有し振動等に強いディスク再生装置に関するものである。
【０００２】
【従来の技術】
同心円状又はスパイラル状のトラックを有するディスク再生装置では、ディスクをスピンドルモーターで線速度一定又は角速度一定で回転させながら、ディスク上のトラックに沿ってレーザービームを照射し、データの再生を行っている。
【０００３】
この場合、外部からの振動等の衝撃を受けると、ディスクに記録されている信号を読みとるための光ピックアップの光ビームを信号トラック上に正しく追従させるトラッキング制御や信号面に正しく合焦させるフォーカシング制御を行うことが出来ない状態になり、再生音が途切れる（以下このような現象をバッファーアンダーランエラーという）という課題があり、この課題を解決するためショックプルーフメモリを有するものが種々提案されている。例えば、ＣＤを通常速度の２倍で回転するように制御を行うとともに、ＣＤの記録データを光ピックアップにより２倍の速度で間欠的に読取りショックプルーフメモリに書き込み、このメモリへの書き込みに並行して、前記メモリから通常速度でデータを読み出して再生を行い、この時、振動によりトラックジャンプが発生した時には、前記メモリからのデータ読み出しは継続し、データの読み出しの継続中に、光ピックアップをジャンプ以前の位置に戻すようにし、前記位置に戻った後は、再びＣＤ記録データを２倍速で読みとって前記メモリに書き込むようにして、再生音が途切れないようにする手段が提案されている。（例えば、特許文献１及び２参照。）
更に、近年このようなディスク再生装置において、音楽ソースを高速で再生し、デジタルデータのまま他の媒体（ＣＤからＭＤへの高速録音等）に録音することが許され、高速再生可能なディスク再生装置が開発されている。
【０００４】
一例として、図３に従来の高速再生可能なディスク再生装置のブロック図を示す。ディスクとしてのＣＤ１の表面には螺旋状に形成された記録トラック上にオーディオ情報及びサブコード情報としてアドレス情報（ディスクの内周から外周にかけての絶対時間情報）が物理的に記録されている。ディスク１はターンテーブル２の上に載置され、クランパ３により上から保持されている。ターンテーブル２はスピンドルモータ４の回転軸５に接続されスピンドルモータ４により回転される。ピックアップ６は、トラバースモータ７によって、スライダ８上をディスク１の半径方向に駆動されて、ディスク１の記録トラックを走査して、再生信号Ｓｐｕを生成する。
【０００５】
サーボ制御装置９はピックアップ６の出力及び再生駆動制御装置１８ｂに接続されて、再生信号Ｓｐｕを増幅して再生信号ＳＰＵとして出力すると共に、ピックアップ６の光ビームをディスクの信号面に合焦させるフォーカッシング制御動作、並びに光ビームをディスクの信号面の記録トラックに追従させるトラッキング制御動作を行うと共にトラバース送りを行うトラバース追従信号を出力する。
【０００６】
デコーダ１０は、サーボ制御装置９から出力される再生信号ＳＰＵからデータ再生用クロック信号を生成し、そのデータ再生用クロック信号を元にして、再生信号ＳＰＵに様々な信号処理を施し、オーディオデータ信号としてショックプルーフメモリ１１に出力すると共に、再生信号ＳＰＵに含まれるサブコード情報を抽出してサブコード情報信号を生成する。サブコード情報の中にはディスクのアドレス情報が含まれており、そのアドレス情報を元に再生を行う。更に、デコーダ１０は再生信号ＳＰＵを元にトラックジャンプやフォーカス外れのエラー検出も行う。
【０００７】
再生駆動制御手段である再生駆動制御装置１８ｂは、デコーダ１０に接続されて、サブコード情報に基づいて、サーボ制御装置９を制御してピックアップ６のトラバース移動、つまりディスク１の半径方向への移動を指示するトラバース送りや、ピックアップを目標位置にアクセスさせる制御信号を生成する。またデコーダ１０が検出したエラー信号を元に、ショックプルーフメモリ１１のデータ蓄積量監視並びにショックプルーフメモリ１１への入力データ信号の一時停止やエラーが起こった位置の直前の位置にピックアップをアクセスさせる制御信号の生成も行う。
【０００８】
トラバースモータドライバ１７は、サーボ制御装置９に接続されて、トラバース追従誤差信号に基づいてトラバースモータ駆動信号を生成する。トラバースモータ７は、トラバースモータドライバ１７に接続されて、ピックアップ６をトラバース方向に移動させる。
【０００９】
ディスク１にはフレームと呼ばれる１ブロックにデータ列がまとめられて記録されており、そのフレーム先頭にフレーム同期信号と呼ばれるパターンが一定間隔で連続して記録されている。
【００１０】
同期信号検出器１３は再生時デコーダ１０内部でディスク１から読みとられた再生信号の中から、ディスクを一定の線速度で回転させるＣＬＶ制御に必要なフレーム同期信号成分を出力する。
【００１１】
基準クロック発生器１４は、所定の周波数を有し、ディスクの線速度を決める基準クロック信号を出力する。再生信号ＳＰＵから抽出されたフレーム同期信号と、予め設定された基準クロック信号とは、共にＣＬＶ誤差検出器１５に入力される。
【００１２】
ＣＬＶ誤差検出器１５は、この二つのクロック信号の周波数を比較して、各クロックの差分をもとめて、ＣＬＶ誤差信号を出力する。スピンドルモータドライバ１６は、ＣＬＶ誤差検出器１５の出力に接続されて、ＣＬＶ誤差信号に基づいて、スピンドルモータ４を駆動するスピンドルモータ駆動信号を生成する。スピンドルモータ４は、スピンドルモータドライバ１６に接続されて、スピンドルモータ駆動信号によって駆動制御されてディスク１を所定の線速度一定になるよう回転させる。例えばディスクの線速度すなわちディスクからの再生データ速度を早くするためには、前記基準クロック発生器１４の周波数を上げれば良いことになる。
【００１３】
ところで、ＣＤの再生時、ディスク再生装置に大きな振動や衝撃が加わった場合にトラックジャンプやフォーカス外れが生じるため、音切れや音飛びを起こすことになる。このような音切れや音飛びはショックプルーフメモリ１１を備えることで防止する事が出来る。一般に、ショックプルーフメモリに書き込むデータ信号速度は、ショックプルーフメモリから読み出すデータ信号速度よりも早く設定されているため、ショックプルーフメモリには常にデータが蓄積されるようになっており、大きな振動等によって一時的にディスクからのデータの読み取りが行えない場合であっても、ショックプルーフメモリ１１からは一定速度でデータの読み出しが行えるようになっている。ショックプルーフメモリ１１からの出力データは一定速度で出力インターフェイス２０に入力され、出力インターフェイス内部で外部に接続される機器に適した信号に形成され出力端子２１から出力される。
【００１４】
さらに、ディスク再生装置の全体の動作を制御する主制御装置１９が設けられている。主制御装置１９には、ユーザがディスク再生装置を操作するための入力手段が備えられている。
【００１５】
図４に従来のディスク再生装置における高速再生時のショックプルーフメモリのデータ蓄積量のイメージ図を示す。横軸は再生経過時間であり縦軸はショックプルーフメモリのデータ蓄積量である。
【００１６】
以下に、このように構成されたディスク再生装置の高速再生時の動作を説明する。以下の説明では定速時の再生速度をＶとし、ショックプルーフメモリへの入力データ速度を５倍速（５Ｖ）、ショックプルーフメモリから出力するデータ速度を４倍速（４Ｖ）として説明を行う。
【００１７】
まず、再生開始時に於いて、周知の通り、ピックアップ６より照射される光ビームをディスク１の信号面に合焦させるフォーカッシング制御動作を行いながら、スピンドルモータ４を回転させ、ディスク１の回転速度が目標回転速度になると、ディスク１に記録されている記録トラックに光ビームを追従させるトラッキング制御動作を行い、ディスク１からの信号読み出し動作が開始される。ピックアップ６はディスク１の信号を読み取り、デコーダ１０内で生成された再生データの内、ＣＬＶ制御に必要なフレーム同期信号を同期信号検出器１３で抽出し、ＣＬＶ誤差検出器１５で基準クロック信号の周波数と比較を行い、周波数差が無くなるようにスピンドルモータ４を回転させることにより、再生時の線速度（ここでは５倍速）を一定に制御して時刻Ｔ０から高速再生を開始する。
【００１８】
デコーダ１０で復調されたオーディオデータ信号は一定速度５Ｖでショックプルーフメモリ１１に入力されると共に、ショックプルーフメモリ１１からは入力より遅い一定速度４Ｖでオーディオデータ信号を出力するためショックプルーフメモリ１１に蓄積されるデータ蓄積速度は、
データ蓄積速度＝データ入力速度−データ出力速度・・・（１）
で表されるので、式（１）より５Ｖ−４Ｖ＝Ｖの速度で徐々に増加し、時刻Ｔ１でデータ蓄積量がショックプルーフメモリ１１のメモリ容量の上限であるＦＵＬＬ状態（Ａ１）になる。
【００１９】
データ蓄積量が上限に達すると、再生駆動制御装置１８ｂはサーボ制御装置９を制御してディスク１からのデータ読みとりを一時中断させると共に、ショックプルーフメモリ１１へのデータ入力を中断する。ショックプルーフメモリ１１へのデータ入力中断中も、ショックプルーフメモリ１１からは４Ｖの速度でデータ信号を出力するので、データ蓄積速度は−４Ｖの速度でデータ蓄積量が急速に減少する事になる。
【００２０】
時刻Ｔ２において、ショックプルーフメモリ１１から所定量のデータが読みとられて、データ蓄積量が所定の一定量であるしきい値（Ａ２）まで減少したことを再生駆動制御装置１８ｂが検出すると、再生駆動制御装置１８ｂはサーボ制御装置９を制御して、ピックアップ６を一時読み取り中断した直前の位置にアクセスさせ、アクセス終了後再び一定速度５Ｖでショックプルーフメモリ１１にデータ入力を開始するが、アクセス開始からアクセス終了（Ｔ３）まで時間がかかり、その間はデータ蓄積量がＡ３の位置まで下がることになる。
【００２１】
アクセス終了後再びショックプル−フメモリ１１のデータ蓄積量は、データ蓄積速度５Ｖ−４Ｖ＝Ｖの速度で徐々に増加し、以降再生中にエラーが生じなければ上記動作を繰り返すことになる。
【００２２】
次に時刻Ｔ４において、デスク再生装置に振動等のショックによってトラックジャンプやフォーカス外れが起こりディスクからデータが読み込めなくなると、デコーダ１０は再生信号ＳＰＵを元にエラーを検出する。再生駆動制御装置１８ｂは、デコーダ１０からのエラー検出通知を受けショックプルーフメモリ１１へのデータ信号の入力を中断すると共に、サーボ制御装置９を制御することでピックアップ６をエラー状態が起こった直前の位置にアクセスさせる。この間はショックプルーフメモリ１１への入力データ信号が中断されるため、データ蓄積速度は−４Ｖの速度でデータ蓄積量が急速に減少する事になる。
【００２３】
時刻Ｔ５においてアクセス終了後光ピックアップ６から正常なデータ信号を読み込めるようになると、デコーダ１０はエラー検出状態を解除し、再生駆動制御装置１８ｂは、エラー状態の起こった位置の信号からショックプル−フメモリ１１へのデータ信号入力を再開する。データ入力を再開する事によりショックプルーフメモリ１１のデータ蓄積量はＶの速度で徐々に増加する。
【００２４】
以上の動作により、ショックプルーフメモリ１１のデータ蓄積量がＦＵＬＬ状態になった場合又は振動によってエラー状態が発生した場合においても、ショックプルーフメモリ１１からの出力データ信号は途切れることなく再生を継続させることが出来る。
【００２５】
図５は従来のディスク再生装置と、このディスク再生装置で高速再生した再生出力を入力として高速で録音する記録再生装置とを含むシステムのブロック図である。図５においてこのシステムの操作を指示するとともにシステムの動作状態の表示も行える操作パネル２２、操作パネル２２の入力を受けてシステム各部を制御する主制御装置２３、定速再生と高速再生が可能なＣＤ再生装置２４、このＣＤ再生装置２４の高速再生出力を受けてＭＤに高速で録音し、またはＭＤを定速で再生するＭＤ記録再生装置２５、ＣＤ再生装置２４とＭＤ記録再生装置２５の出力を受けて、主制御装置の制御によりそのいずれかを選択して出力する信号選択器２６、信号選択器２６の出力をＤ／Ａ変換するＤ／Ａ変換器２７、Ｄ／Ａ変換器２７のアナログ出力信号を増幅する増幅器２８、増幅器２８の出力を音声に変換するスピーカ２９を備えている。操作パネル２２と主制御装置２３は図３のディスク再生装置と共通でも差し支えない。そして図３のディスク再生装置は、図５におけるＣＤ再生装置２４に相当する。
【００２６】
このようなシステムにおいて、操作パネル２２の操作に基づく主制御装置２３の制御によって、ＣＤ再生装置２４を高速で再生し、そのショックプルーフメモリからの再生出力を入力したＭＤ記録再生装置２５で高速録音が行われ、また主制御装置２３の制御により定速再生されたＣＤ再生装置または／および定速再生されたＭＤ記録再生装置２５の出力は信号選択器２６によりいずれかが選択されてＤ／Ａ変換器２７でアナログ信号に変換されて増幅器２８で増幅されて主制御装置２３で音量制御されてスピーカ２９から音声出力される。
【００２７】
【特許文献１】
特開平５−２３４３４７号公報
【特許文献２】
特開平６−８４２８２号公報
【００２８】
【発明が解決しようとする課題】
このような従来のディスク再生装置において、近年高速再生のさらなる高速化が要求されている。高速録音するためには、ディスクの回転速度を上げると共にショックプルーフメモリからのデータ出力信号速度を上げる必要がある。例えばＣＤを定速時の７倍ほどで回転させ、ショックプルーフメモリへの入力速度を７倍速にし、ショックプルーフメモリからの出力速度を６倍速にしてデータ読み出しを行い、６倍速でＭＤ又はＣＤ−Ｒ等に記録しなければならない。しかしながら、高速再生中にトラックジャンプやフォーカス外れ等のエラーが発生すると、アクセス終了までショックプルーフメモリのデータ蓄積速度は−６Ｖの速度で減少し、従来例で説明したデータ蓄積速度の１．５倍の速度でデータが減少することになり、エラーが発生してからアクセス終了までの復帰時間である（Ｔ５−Ｔ４）の間にショックプルーフメモリのデータが無くなるとバッファーアンダーランエラーを起こすことになる。バッファーアンダーランエラーを起こすと、ディスク再生装置の出力からはデータ信号が出力されず、その間録音媒体であるＭＤ等に無音が録音され音が途切れた録音を行うという問題点がある。対策としてショックプルーフメモリの容量を増やせばよいがコストアップになる。
【００２９】
また、高速化すればするほど、スピンドルモータの回転数も上げなければならないが、スピンドルモータの回転数を上げすぎるとスピンドルモータの寿命が短くなる。その為、ディスクから読み取る再生データ速度すなわちショックプルーフメモリへ入力する再生データ速度とショックプルーフメモリから出力する再生データ速度の速度差を小さくして、ディスク再生装置から出力されるデータ速度のみを上げるように設定する必要が出てくる。しかし、ショックプルーフメモリへの入力と出力のデータ速度差が小さくなると、再生開始時、又はエラーによりデータ蓄積量が低下した後、データの蓄積量が所定の一定量に達するまでに時間がかかり、所定の一定量までデータ蓄積される間に振動等によるエラーが発生すると、バッファーアンダーランエラーを起こしやすくなるという問題点がある。
【００３０】
更に、ショックプルーフメモリからの出力データ速度を上げると、メモリＦＵＬＬになりショックプルーフメモリへの入力データを一時中断後、データ残量がしきい値に達するまでポーズ状態またはディスク停止状態で待機しているため、しきい値を検出してからアクセス終了するまでに時間がかかり、その間データ蓄積量はしきい値より更に減ることになる。例えばショックプルーフメモリからの出力データ速度が６倍であれば、しきい値検出からアクセス終了までの間に６倍の速度でメモリのデータ蓄積量が低下するため、ショックプルーフメモリからの出力データ速度が上がれば上がるほどメモリ蓄積残量のしきい値からの低下量が大きくなり、データ残量の余裕が無くなってしまうという問題点も起こってくる。
【００３１】
本発明は、上記問題点を解決するために、ショックプルーフメモリからの出力データ速度を、エラー状態からアクセスが終了しデータ蓄積量が所定量に達する間、高速再生開始からデータ蓄積量が所定量に達すまでの間、又はメモリＦＵＬＬ状態でメモリへのデータ入力を一時中断した後、しきい値を検出してからアクセスを終了しデータ蓄積量が所定量に達すまでの間、ショックプルーフメモリからの出力データ速度を、本来の高速出力データ速度よりも遅くすることで、高速回転を押さえた安価なスピンドルモータで、ショックプルーフメモリ容量が少ない場合において振動等でエラーが生じた場合でも、データがショックプルーフメモリからすべて読み出される前にデータの書き込みを開始する事が出来、音の欠落がなく且つ高速データ出力を可能にしたディスク再生装置を提供することを目的としてなされたものである
【００３２】
【課題を解決するための手段】
この課題を解決するために本発明の基本の構成のディスク再生装置は、データが記録されたディスクを標準速度を越える高速で回転駆動可能なスピンドルモータと、光ビームの焦点を前記ディスクの記録面に合わせて信号を読みとる光ピックアップと、前記光ピックアップのフォーカス制御及びトラッキング制御を行うサーボ制御手段と、前記ディスクから再生した信号をデコードしデータ信号および時間情報であるアドレス信号を復調すると共に再生信号のエラー状態を検出する信号処理手段と、  前記信号処理手段で復調されたデータ信号を読み込むと共に異なる速度で出力するメモリ手段と、前記メモリ手段から出力されるデータ信号の速度を切り換える出力ピッチ切り換え手段と、ディスクの内周から外周にかけて前記ディスクから再生された同期信号と基準クロックとを比較してディスクを回転制御しながら再生するとともに前記メモリ手段と前記出力ピッチ切り換え手段とを制御する再生駆動制御手段とを備え、高速再生時にディスクを標準速度を越える高速で回転させ、高速なデータ信号を前記メモリ手段に書き込むと共に前記メモリ手段から第１の高速速度でデータ信号を読み出し、前記再生駆動制御手段は、高速再生中に前記信号処理手段がエラー状態を検出するとメモリ手段に入力するデータ信号を中断させ、前記出力ピッチ切換手段を制御して前記メモリ手段から出力するデータ信号速度を前記第１の高速速度よりも遅い第２の高速速度に設定すると共に、前記サーボ制御手段を制御してエラー状態検出直前の位置に前記ピックアップをアクセスさせ、アクセス終了後前記メモリ手段へのデータ信号の蓄積を開始させるよう制御し、前記メモリ手段のデータ蓄積量が所定の一定量に達すると前記出力ピッチ切り換え手段によりメモリ手段から出力するデータ信号速度を再び前記第１の高速速度に切り換えるように構成したことを特徴とするものである。
【００３３】
この構成により、高速再生時に振動等のエラーが発生した場合、メモリ手段からの出力データ速度を遅くすることで、メモリ手段のデータが無くなるまでの時間を長くする事が出来、メモリ手段に蓄積されているデータが全て読み出される前にエラー状態を回避してメモリ手段に再びデータの入力を再開する事が出来るという作用を有する。
【００３４】
また、本発明の基本構成の展開の一つは、前記再生駆動制御手段は、高速再生開始時に前記出力ピッチ切換手段を制御して前記メモリ手段から出力するデータ信号速度を前記第１の高速速度よりも遅い第２の高速速度に設定し、前記メモリ手段のデータ蓄積量が所定の一定量に達すると前記出力ピッチ切り換え手段を制御してメモリ手段から出力するデータ信号速度を前記第１の高速速度に切り換えるように構成したことを特徴とするものである。
【００３５】
この構成により、高速再生開始時に、メモリ手段から出力するデータ信号速度を遅くすることで、データ蓄積速度を上げることが出来、短時間でデータ蓄積量を所定の一定量にすることが出来るという作用を有する。
【００３６】
更に、本発明の基本構成の他の展開は、前記再生駆動制御手段は、高速再生中に前記メモリ手段に蓄積されたデータがメモリ手段の上限値に達すると、メモリ手段に入力するデータ信号を中断させ、その後、前記メモリ手段のデータ蓄積量が所定の一定量まで減少すると、前記出力ピッチ切換手段を制御して前記メモリ手段から出力するデータ信号速度を前記第１の高速速度よりも遅い第２の高速速度に設定すると共に、前記再生駆動制御手段は前記サーボ制御手段を制御してデータ信号読込中断直前の位置に前記ピックアップをアクセスさせ、アクセス終了後前記メモリ手段へのデータ信号の蓄積を開始させるよう制御し、前記メモリ手段のデータ蓄積量が所定の一定量に達すると前記出力ピッチ切り換え手段を制御してメモリ手段から出力するデータ信号速度を再び前記第１の高速速度に切り換えるように構成したことを特徴とするものである。
【００３７】
この構成により、高速再生時にメモリ手段のデータ蓄積量がメモリの上限値に達した後、メモリ手段へのデータ信号の入力を中断するため、データ蓄積量は減って行くが、所定の一定量になった後はデータ蓄積量の減る速度を遅くするため、所定の一定量になった後から、アクセスを開始しメモリ手段にデータ入力を再開するまでの間のデータ蓄積量の減量分が少なくなり、更にメモリ手段へのデータ入力が再開された後データ蓄積速度が上がるので、短時間でデータ蓄積量を所定の一定量に復帰させることが出来るという作用を有する。
【００３８】
【発明の実施の形態】
以下本発明のディスク再生装置の一実施形態について、図１と図２を用いて説明する。図１は本発明の一実施形態におけるディスク再生装置のブロック図、図２は同じくディスク再生装置における高速再生時のショックプルーフメモリのデータ蓄積量のイメージ図を示す。横軸は再生経過時間であり縦軸はショックプルーフメモリのデータ蓄積量である。なお、ディスク再生装置と、このディスク再生装置で高速再生した再生出力を入力として高速で録音する記録再生装置とを含むシステムのブロック図の図５は、本実施形態においても同様である。なお、既に図３を参照して説明した従来のディスク再生装置と共通の部分に関しては同一の符号を附して示すと共に、詳細な説明を省く。
【００３９】
本発明のディスク再生装置におけるディスク１、ターンテーブル２、クランパ３、スピンドルモータ４、回転軸５、ピックアップ６、トラバースモータ７、スライダ８、サーボ制御装置９、デコーダ１０、ショックプルーフメモリ１１、同期信号検出器１３、ＣＬＶ誤差検出器１５、スピンドルモータドライバ１６、トラバースモータドライバ１７、主制御装置１９、出力インターフェイス２０、及び出力端子２１等は、図３に示した従来のディスク再生装置と同様である。
【００４０】
ただし本実施形態において再生駆動制御手段である再生駆動制御装置１８ａの動作が以下に述べるように従来の例とは異なっていることと、ショックプルーフメモリ１１からの出力されるデータの速度を切り換える出力ピッチ切り換え手段である出力ピッチ可変器１２を加えたことが従来のディスク再生装置と異なっている。
【００４１】
以上のように構成されたディスク再生装置について、コンパクトディスクを例にあげて、高速再生時の動作を説明する。又、以下の説明では定速時の再生速度をＶとし、ショックプルーフメモリへの入力データ速度を７倍速（７Ｖ）、ショックプルーフメモリから出力する第１の高速再生速度を６倍速（６Ｖ）、第２の高速再生速度を３倍速（３Ｖ）として説明を行う。ここで、ディスクを７倍速で再生させるために、基準クロック発生器１４からの出力クロック周波数を、定速時の７倍の周波数で出力する。再生信号ＳＰＵから抽出されたフレーム同期信号と、予め設定された基準クロック信号は、共にＣＬＶ誤差検出器１５に入力される。ＣＬＶ誤差検出器１５は、この二つのクロック信号の周波数を比較して、各クロックの差分をもとめて、ＣＬＶ誤差信号を出力する。スピンドルモータドライバ１６は、ＣＬＶ誤差検出器１５の出力に接続されて、ＣＬＶ誤差信号に基づいて、スピンドルモータ４を駆動するスピンドルモータ駆動信号を生成する。スピンドルモータ４は、スピンドルモータドライバ１６に接続されて、スピンドルモータ駆動信号によって駆動制御されてディスク１を７倍の線速度一定になるよう回転させる。
【００４２】
まず、高速再生開始時に於いて、周知の通り、ピックアップ６より照射される光ビームをディスク１の信号面に合焦させるフォーカッシング制御動作を行いながら、スピンドルモータ４を回転させ、ディスク１の回転速度が目標回転速度になると、ディスク１に記録されている記録トラックに光ビームを追従させるトラッキング制御動作を行い、ディスク１からの信号読み出し動作が開始される。ピックアップ６はディスク１の信号を読み取り、デコーダ１０内で生成された再生データのうちＣＬＶ制御に必要なフレーム同期信号を同期信号検出器１３で抽出し、ＣＬＶ誤差検出器１５で基準クロック信号の周波数と比較を行い、周波数差が無くなるようにスピンドルモータ４を回転させることにより、再生時の線速度を７倍速一定に制御して時刻Ｔ１０から再生を開始する。
【００４３】
デコーダ１０で復調されたオーディオデータ信号は一定速度７Ｖでショックプルーフメモリ１１に入力されデータ蓄積が開始されると共に、再生駆動制御装置１８ａは再生開始から出力ピッチ可変器１２を制御することにより、ショックプルーフメモリ１１からの出力データ速度は本来の第１の高速再生速度６Ｖよりも遅い第２の高速再生速３Ｖに設定される。このため、ショックプルーフメモリ１１に蓄積されるデータ蓄積速度は、式（１）より第１の高速速度でショックプルーフメモリ１１から出力される場合のデータ蓄積速度である７Ｖ−６Ｖ＝Ｖに対し、第２の高速速度でショックプルーフメモリから出力される場合のデータ蓄積速度は７Ｖ−３Ｖ＝４Ｖとなり、第２の高速速度でショックプル−フから読み出す事により４倍の速度でデータ蓄積が行われることになる。
【００４４】
データ蓄積開始後、時刻Ｔ１１でショックプルーフメモリ１１へのデータ蓄積量が所定の一定量であるＡ２に達すると、再生駆動制御装置１８ａは出力ピッチ可変器１２を制御して、ショックプルーフメモリ１１からのデータ出力速度を第１の高速再生速度である６Ｖに戻す。するとデータ蓄積速度は７Ｖ−６Ｖ＝Ｖでデータ蓄積が行われる。
【００４５】
時刻Ｔ１２でショックプルーフメモリ１１のメモリ容量の上限であるＦＵＬＬ状態（Ａ１）に達すると、再生駆動制御装置１８ａはディスク１からのデータ読みとりを一時中断させると共に、ショックプルーフメモリ１１へのデータ入力を中断する。
【００４６】
ディスク１からのデータ読み取り中断中もショックプルーフメモリ１１からは６Ｖの速度でデータ信号を出力するので、データ蓄積速度は−６Ｖの速度でデータ蓄積量が急速に減少する事になる。
【００４７】
時刻Ｔ１３において、ショックプルーフメモリ１１のデータ蓄積量がしきい値（Ａ２）まで減少したことを再生駆動制御装置が検出すると、再生駆動制御装置１８ａは出力ピッチ可変器１２を制御しショックプルーフメモリ１１からのデータ出力速度を第２の高速再生速度である３Ｖに設定すると共に、サーボ制御装９置を介して、ピックアップ６を一時読み取り中断した位置にアクセスさせる。アクセス終了後再び高速再生速度７Ｖでショックプルーフメモリ１１にデータ入力を開始するが、アクセス開始からアクセス終了まで時間がかかりその間はデータ蓄積が無く、時刻Ｔ１４でデータ蓄積量はＡ４の位置まで下がる。しかしながら、蓄積量の低下は第１の高速速度である減少速度６Ｖにくらべ遅くなるため、データ蓄積量の低下位置は従来の技術である図４のデータ蓄積量の低下位置Ａ３に比べ高い位置になる。
【００４８】
アクセス終了後はショックプルーフメモリ１１にデータが蓄積開始され、データ蓄積速度７Ｖ−３Ｖ＝４Ｖの速度で急激に増加する。
【００４９】
時刻Ｔ１５でショックプルーフメモリ１１へのデータ蓄積量が所定の一定量であるＡ２に達すると再生駆動制御装置１８ａは出力ピッチ可変器を制御して、ショックプルーフメモリ１１からのデータ出力速度を第１の高速再生速度である６Ｖに戻す。するとデータ蓄積速度はＶとなりゆっくりデータ蓄積が行われる。再生中にエラーが生じなければ上記動作を繰り返すことになる。
【００５０】
次にＴ１６において、デスク再生装置に振動等のショックによってトラックジャンプやフォーカス外れが起こりディスク１からデータが読み込めなくなると、デコーダ１０は再生信号ＳＰＵを元にエラーを検出する。再生駆動制御装置１８ａは、デコーダ１０からのエラー検出通知を受けショックプルーフメモリ１１へのデータ信号の入力を中断すると共に、サーボ制御装置９を制御することでピックアップ６をエラー状態が起こった直前の位置にアクセスさせ、更に出力ピッチ可変器１２を制御して、ショックプルーフメモリ１１からのデータ出力速度を第２の高速再生速度である３Ｖにする。この間はショックプルーフメモリ１１へのデータ信号入力が中断されるためデータ蓄積量は−３Ｖの速度で減少することになるが従来のディスク再生装置の減少速度−６Ｖに比べ遅くなる。このためアクセス終了後の時刻Ｔ１７で光ピックアップ６から正常なデータ信号を読み込めるようになるまでのデータ蓄積量の減量分は少なくなる。
【００５１】
アクセス終了後の時刻Ｔ１７からはショックプルーフメモリ１１に７Ｖの速度のデータ信号が入力されるので、データ蓄積速度は再び７Ｖ−３Ｖ＝４Ｖの速度での蓄積となる。時刻Ｔ１８になるとショックプルーフメモリ１１のデータ蓄積量が所定の一定量であるＡ２に達するので、再生駆動制御装置１８ａは出力ピッチ可変器１２を制御して、ショックプルーフメモリ１１からのデータ出力速度を第１の高速再生速度である６Ｖに戻す。するとデータ蓄積速度はＶとなり、ゆっくりデータ蓄積が行われる。以降はエラー状態が起こる前の動作を繰り返す。
【００５２】
本実施形態では、以上のようにショックプルーフメモリ１１からの再生出力速度が頻繁に変更になるので、図５のディスク記録再生装置であるＭＤ記録再生装置の記録速度をその都度追従することは困難であるから、記録速度は一定としておき、入力信号速度の変化に耐え得る程度のショックプルーフメモリを入力側に備えておけばよい。
【００５３】
以上のように本実施形態によれば、再生開始時に、ショックプルーフメモリからのデータ出力速度を遅くすることにより、データ蓄積速度が上がり短時間で所定の一定量に達するので、再生開始から早い時間に振動等のエラー状態が発生してもデータ蓄積量が多くなるので、エラー状態から復帰するまでの間にデータ残量がゼロになり再生出力が途切れバッファーアンダーランエラーになる確率が低くなる。
【００５４】
又、データ蓄積量がメモリの上段に達した後、メモリ手段へのデータ信号の入力を中断するため、データ蓄積量は急激に減って行くが、所定の一定量になった後はデータ蓄積量の減る速度を遅くするため、所定の一定量になった後から、アクセスを開始しメモリ手段にデータ入力を再開するまでの間のデータ蓄積量の減量分が少なくなり、その間に、振動等のエラー状態が発生してもデータ蓄積量が多いので、エラー状態から復帰するまでの間にデータ残量がゼロになり再生出力が途切れバッファーアンダーランエラーになる可能性は少なくなる。そしてメモリ手段へのデータ入力が再開された後データ蓄積速度が上がるので、短時間でデータ蓄積量を所定の一定量に復帰させることが出来る。
【００５５】
更に、高速再生時に振動等のエラーが発生した場合、ショックプルーフメモリからの出力データ速度を遅くすることで、ショックプルーフメモリのデータがゼロになるまでの時間を長くする事が出来、データがショックプルーフメモリから読み出される前にエラー状態を回避してショックプルーフメモリにデータの書き込みを再開出来るので、再生出力が途切れバッファーアンダーランエラーにならない。
【００５６】
なお、上記実施形態では、ショックプルーフメモリへの入力データ速度を定速再生時の７倍に設定し、ショックプルーフメモリからの出力データ速度である第１の高速速度設定を定速再生時の６倍、第２の高速速度設定を定速再生時の３倍にて説明したが、ディスク再生装置のシステムが許容できる範囲内であれば高速再生時のショックプルーフメモリへの入力データ速度、第１の高速速度、第２の高速速度の設定を自由に設定できる。
【００５７】
又、上記実施形態では、再生駆動制御装置はショックプルーフメモリに蓄積されたデータがメモリ容量の上限値に達すると、ショックプルーフメモリに入力するデータ信号の中断とディスクからのデータ信号読込を中断し、その後、ショックプルーフメモリのデータ蓄積量が所定の一定量まで減少すると、出力ピッチ切換手段を制御して前記メモリ手段から出力するデータ信号速度を前記第１の高速速度よりも遅い第２の高速速度に設定したが、再生駆動制御装置はショックプルーフメモリに蓄積されたデータがメモリ容量の上限値に達すると、メモリ手段に入力するデータ信号の中断とディスクからのデータ信号読込を中断すると共に、出力ピッチ切換手段を制御してショックプルーフメモリから出力するデータ信号速度を第１の高速速度よりも遅い第２の高速速度に設定するようにしてもよい。
【００５８】
又、上記実施形態では、ショックプルーフメモリのデータ蓄積量の所定の一定量を同じに設定しているが、各場合に応じて所定の一定量をそれぞれ変更しても良い。
【００５９】
また、上記実施形態ではオーディオＣＤの場合について説明したが、光磁気記録であるＭＤや磁気記録媒体であっても、またオーディオ信号以外の信号形態にも適用できるものである。
【００６０】
更に、上記実施形態で説明に用いた数値等は一例であり、必要に応じて変更して実施できるものである。
【００６１】
【発明の効果】
以上説明したように本発明のディスク再生装置によれば、高速再生時におけるメモリ手段から出力するデータ速度が定常時において第１の高速速度の場合であって、再生駆動制御手段は、高速再生中に信号処理手段がエラー状態を検出するとメモリ手段に入力するデータ信号を中断させ、出力ピッチ切換手段を制御してメモリ手段から出力するデータ信号速度を第１の高速速度よりも遅い第２の高速速度に設定すると共に、サーボ制御手段を制御してエラー状態検出直前の位置にピックアップをアクセスさせ、アクセス終了後メモリ手段へのデータ信号の蓄積を開始させるよう制御し、メモリ手段のデータ蓄積量が所定の一定量に達すると出力ピッチ切り換え手段によりメモリ手段から出力するデータ信号速度を再び第１の高速速度に切り換えるように構成したことにより、振動等によってトラックジャンプやフォーカス外れ等のエラー状態が発生しても、エラー状態発生からエラー復帰までの時間にメモリ手段のデータ蓄積量の減量分は少なくなり、メモリ容量の小さなメモリ手段を使用してもバッファーアンダーランエラーが発生せず再生信号が途切れる事のないという有利な効果が得られる。
【００６２】
又、再生駆動制御手段は、高速再生開始時に出力ピッチ切換手段を制御してメモリ手段から出力するデータ信号速度を第１の高速速度よりも遅い第２の高速速度に設定し、メモリ手段のデータ蓄積量が所定の一定量に達すると出力ピッチ切り換え手段を制御してメモリ手段から出力するデータ信号速度を第１の高速速度に切り換えるように構成したことにより、高速再生開始直後、短時間でデータ蓄積量を所定の一定量にすることが出来るので、高速再生開始直後からの振動等によってトラックジャンプやフォーカス外れ等のエラー状態が発生しても、バッファーアンダーランエラーが発生する確率が減るという有利な効果がえられる。
【００６３】
更に、再生駆動制御手段は、高速再生中にメモリ手段に蓄積されたデータがメモリ手段の上限値に達すると、メモリ手段に入力するデータ信号の中断し、その後、メモリ手段のデータ蓄積量が所定の一定量まで減少すると、出力ピッチ切換手段を制御してメモリ手段から出力するデータ信号速度を第１の高速速度よりも遅い第２の高速速度に設定し、再生駆動制御手段はサーボ制御手段を制御してデータ信号読込中断直前の位置にピックアップをアクセスさせ、アクセス終了後メモリ手段へのデータ信号の蓄積を開始させるよう制御し、メモリ手段のデータ蓄積量が所定の一定量に達すると出力ピッチ切り換え手段を制御してメモリ手段から出力するデータ信号速度を再び第１の高速速度に切り換えるように構成したことにより、アクセス開始からアクセス終了までの時間に、データ蓄積量の所定の一定量からの減量分が少なくなり、その間に振動等によってトラックジャンプやフォーカス外れ等のエラー状態が発生しても、バッファーアンダーランエラーが発生し再生信号が途切れる事が軽減されるという有利な効果が得られる。
【００６４】
又、高速再生の定常状態においては、ディスクから読み取る再生データ速度すなわちメモリ手段へ入力する再生データ速度とメモリ手段から出力する再生データ速度の速度差を小さくすることが可能になり、安価なスピンドルモータを使用して高速再生を達成できるという効果も得られる。
【図面の簡単な説明】
【図１】本発明の一実施形態におけるディスク再生装置のブロック図
【図２】同じくディスク再生装置における高速再生時のショックプルーフメモリのデータ蓄積量のイメージ図
【図３】従来のディスク再生装置のブロック図
【図４】従来のディスク再生装置における高速再生時のショックプルーフメモリのデータ蓄積量のイメージ図
【図５】従来のディスク再生装置と、このディスク再生装置で高速再生した再生出力を入力として高速で録音する記録再生装置とを含むシステムのブロック図
【符号の説明】
１  ディスク
２  ターンテーブル
４  スピンドルモータ
６  ピックアップ
７  トラバースモータ
８  スライダ
９  サーボ制御装置
１０  デコーダ
１１  ショックプルーフメモリ
１２  出力ピッチ可変器
１３  同期信号検出器
１４  基準クロック発生器
１５  ＣＬＶ誤差検出器
１６  スピンドルモータドライバ
１７  トラバースモータドライバ
１８  再生駆動制御装置
１９  主制御装置
２０  出力インターフェイス
２１  出力端子
【図１】
2004280895.tif 000003
【図２】
2004280895.tif 000004
【図３】
2004280895.tif 000005
【図４】
2004280895.tif 000006
【図５】
2004280895.tif 000007